(57)【要約】      （修正有）【課題】  スクリーンに対して投射光軸を斜めに傾斜させて映像を投射したときの投射映像の歪みを補正する投射型の格子状表示装置を提供する。【解決手段】  装置本体は、格子状映像表示体に表示された映像を、投射レンズを通して放射状投射光としてスクリーンに投射し、スクリーン上に投射映像を表示する。歪み補正装置は、スクリーンに対して投射光軸を斜めにして投射したときの投射映像の歪みを補正する。テスト映像手段は、例えば長方形をテスト映像とし、スクリーン上にテスト投射映像を表示する。座標入力装置は、歪んだ長方形の４隅の座標に対応する歪まない長方形の４隅の座標を入力する。ポインタは、歪んだ長方形の４隅を歪まない長方形の４隅の座標に移動する。歪み補正回路は、歪んだ長方形の４隅の座標と、歪まない長方形の４隅の座標との関係に基づいて、投射映像の歪みを補正する。【選択図】  図１
2006238436.tif 000002
【特許請求の範囲】
【請求項１】
格子状映像表示体に表示された映像を、投射レンズを通して放射状投射光としてスクリーンに投射し、スクリーン上に投射映像を表示する、投射型の格子状表示装置において、
スクリーンに対して投射光軸を斜めにして投射したときの投射映像の歪みを補正する補正装置として、正多角形のいずれかをテスト映像とし、テスト映像をスクリーン上に投射してテスト投射映像を表示する手段と、
テスト投射映像の歪み輪郭を規定する特定位置の座標に対応する歪みのないテスト映像の座標を入力する座標入力装置と、
テスト投射映像の歪み輪郭を規定する特定位置を座標入力装置で入力された歪みのないテスト映像の座標に移動するポインタと、
テスト投射映像の歪み輪郭を規定する特定位置の座標と、歪みのないテスト映像の対応する座標との関係に基づいて、投射映像の歪みを補正する歪み補正手段とを備えていることを特徴とする投射型の格子状表示装置。
【請求項２】
テスト投射映像を表示する手段は、投射表示を目的とする実際の入力映像をテスト投射映像として投射し、座標入力装置は、実際の入力映像の歪み輪郭を規定する特定位置の座標に対応する歪みのない実際の入力映像の座標を入力し、ポインタは、実際の入力映像の歪み輪郭を規定する特定位置を座標入力装置で入力された歪みのない実際の入力映像の座標に移動し、歪み補正手段は、実際の入力映像の歪み輪郭を規定する特定位置の座標と、歪みのない実際の入力映像の対応する座標との関係に基づいて、投射映像の歪みを補正することを特徴とする請求項１に記載の投射型の格子状表示装置。
【請求項３】
格子状映像表示体に表示された映像を、投射レンズを通して放射状投射光としてスクリーンに投射し、スクリーン上に投射映像を表示する際、スクリーンに対して投射光軸を斜めにして投射したときの投射映像の歪みを補正する投射映像の歪み補正方法であって、スクリーン上に投射されたテスト投射映像の歪み輪郭を規定する特定位置を、歪みのないテスト映像を規定する座標にポインタで移動するステップと、テスト投射映像の歪み輪郭を規定する特定位置の座標と、歪みのないテスト映像を規定する座標との関係から、歪み補正パラメータを算出するステップと、歪み補正パラメータに従って投射映像を補正するステップとを有することを特徴とする投射映像の歪み補正方法。
【請求項４】
テスト投射映像として、投射目的の実際の入力映像を投射し、スクリーン上に投射された実際の入力映像の歪み輪郭を規定する特定位置を、歪みのない実際の入力映像を規定する座標にポインタで移動するステップと、実際の入力映像の歪み輪郭を規定する特定位置の座標と、歪みのない実際の入力映像を規定する座標との関係から、歪み補正パラメータを算出するステップと、歪み補正パラメータに従って投射映像を補正するステップとを有することを特徴とする請求項３に記載の投射映像の歪み補正方法。
【発明の詳細な説明】
【技術分野】
【０００１】
本発明は、投射型の格子状表示装置及び投射映像の歪み補正方法に関し、更に詳しくは、スクリーンが投射光軸に対して傾斜しているとき、つまりスクリーンに対して斜め方向から映像を投射するとき、斜め投射によって生じる投射映像の歪みを補正する機構を備えた投射型の格子状表示装置、及びそのような投射映像歪みを補正する方法に関するものである。
【背景技術】
【０００２】
投射型の格子状表示装置は、液晶パネルなどの格子状映像表示体に映像を表示し、投射レンズを通して映像表示体の映像を放射状投射光としてスクリーンに投射し、表示している。ところで、投射型の格子状表示装置を使って映像をスクリーン上に表示するときには、スクリーンに対して投射光軸を直交させて映像を投射するよりは寧ろ、スクリーンに対して投射光軸を上下方向に傾けて映像を投射することが多い。そして、投射光軸を上下方向に傾けてスクリーンに映像を表示したときには、長方形の映像が台形に歪んだ映像として表示される。
【０００３】
そこで、スクリーンに対して上下方向に傾けて映像を投射する際に、長方形が台形に歪んだ映像を正しく長方形に補正する補正回路が、従来の投射型の格子状表示装置に設けられている。従来の補正回路は、投射光軸を上に傾けた場合の補正手段と、投射光軸を下に傾けた場合の補正手段との２方向補正手段とから構成され、通常、投射型の格子状表示装置のユーザが、投射型の格子状表示装置の本体ボタン、又はリモートコントロール装置を操作することにより、補正回路を動作させて、歪みを補正している。
【０００４】
ところで、スクリーン前方から投射する場合、観察者がいる場所を避けて、投射型の格子状表示装置を設置したり、観察者とスクリーンとの間に投射型の格子状表示装置を設置して観察者の視界を遮るようなことがないように注意して設置したりするために、スクリーンに対する、投射型の格子状表示装置の設置場所が制約されることが、通常である。そのため、スクリーンに対して投射光軸を斜めにして斜め方向から映像を投射することが多くなる。スクリーンに対して投射光軸を斜めにして映像をスクリーン上に表示すると、図６に示すように、長方形の図形映像は、略菱形に歪む。図６で、プロジェクタとは投射型の格子状表示装置を意味する。以下も、同様にである。
【発明の開示】
【発明が解決しようとする課題】
【０００５】
しかし、投射型の格子状表示装置の投射光軸をスクリーンに対して上下方向のみに傾けて投射した場合は、従来の２方向補正の補正回路によって対処して、映像の歪みを十分に補正することができたが、投射型の格子状表示装置の投射光軸をスクリーンに対して斜め方向にして映像表示した場合には、従来の２方向補正の補正回路では、映像の歪みを補正することはできない。また、プロジェクタをスクリーンに対して斜め方向に投射した場合に、専門知識を持たないユーザーが歪み映像を補正することは容易ではない。
【０００６】
そこで、本発明の目的は、スクリーンに対して投射光軸を斜めに傾斜させて映像を投射したときの投射映像の歪みを補正する手段を備えた投射型の格子状表示装置を提供することである。
【課題を解決するための手段】
【０００７】
上記目的を達成するために、本発明に係る投射型の格子状表示装置は、格子状映像表示体に表示された映像を、投射レンズを通して放射状投射光としてスクリーンに投射し、スクリーン上に投射映像を表示する、投射型の格子状表示装置において、スクリーンに対して投射光軸を斜めにして投射したときの投射映像の歪みを補正する補正装置として、正多角形のいずれかをテスト映像とし、テスト映像をスクリーン上に投射してテスト投射映像を表示する手段と、テスト投射映像の歪み輪郭を規定する特定位置の座標に対応する歪みのないテスト映像の座標を入力する座標入力装置と、テスト投射映像の歪み輪郭を規定する特定位置を座標入力装置で入力された歪みのないテスト映像の座標に移動するポインタと、テスト投射映像の歪み輪郭を規定する特定位置の座標と、歪みのないテスト映像の対応する座標との関係に基づいて、投射映像の歪みを補正する歪み補正手段とを備えていることを特徴としている。
【０００８】
本発明では、図形の輪郭を規定する座標同士に明確な幾何学的関係のある図形、例えば長方形をテスト映像として投射して、歪み投射映像と、歪まない投射映像との座標関係を設定し、その座標関係に従って、歪み補正手段が以後の実際の投射映像を歪み補正して歪みのない投射映像を生成する。テスト映像には、例えば長方形を使用する。座標入力装置とは例えばマウスである。テスト映像として、表示目的の実際の入力映像を使用することもできる。その際には、テスト投射映像を表示する手段は、投射表示を目的とする実際の入力映像をテスト投射映像として投射し、座標入力装置は、実際の入力映像の歪み輪郭を規定する特定位置の座標に対応する歪みのない実際の入力映像の座標を入力し、ポインタは、実際の入力映像の歪み輪郭を規定する特定位置を座標入力装置で入力された歪みのない実際の入力映像の座標に移動し、歪み補正手段は、実際の入力映像の歪み輪郭を規定する特定位置の座標と、歪みのない実際の入力映像の対応する座標との関係に基づいて、投射映像の歪みを補正する。
【０００９】
本発明に係る投射映像の歪み補正方法は、格子状映像表示体に表示された映像を、投射レンズを通して放射状投射光としてスクリーンに投射し、スクリーン上に投射映像を表示する際、スクリーンに対して投射光軸を斜めにして投射したときの投射映像の歪みを補正する投射映像の歪み補正方法であって、スクリーン上に投射されたテスト投射映像の歪み輪郭を規定する特定位置を、歪みのないテスト映像を規定する座標にポインタで移動するステップと、テスト投射映像の歪み輪郭を規定する特定位置の座標と、歪みのないテスト映像を規定する座標との関係から、歪み補正パラメータを算出するステップと、歪み補正パラメータに従って投射映像を補正するステップとを有することを特徴としている。
【００１０】
テスト映像として、表示目的の実際の入力映像を使用することもできる。その際には、テスト投射映像として、投射目的の実際の入力映像を投射し、スクリーン上に投射された実際の入力映像の歪み輪郭を規定する特定位置を、歪みのない実際の入力映像を規定する座標にポインタで移動するステップと、実際の入力映像の歪み輪郭を規定する特定位置の座標と、歪みのない実際の入力映像を規定する座標との関係から、歪み補正パラメータを算出するステップと、歪み補正パラメータに従って投射映像を補正するステップとを有する。
【発明の効果】
【００１１】
本発明によれば、正多角形のいずれかをテスト映像とし、テスト映像をスクリーン上に投射してテスト投射映像を表示する手段と、テスト投射映像の特定座標に対応するテスト映像の座標を入力する座標入力装置と、テスト投射映像の特定位置を正規の座標（歪まない映像の座標）に移動するポインタと、テスト投射映像の特定座標と、正規の座標との関係に基づいて、投射映像の歪みを補正する歪み補正手段とを投射型の格子状表示装置に備える。これにより、スクリーンに対して投射光軸を斜めにして投射したときの投射映像の歪みを簡単に補正することができる。また、本発明方法によれば、スクリーンに対して投射光軸を斜めにして投射したときの投射映像の歪みを簡単に補正する方法を実現している。
【発明を実施するための最良の形態】
【００１２】
以下に、添付図面を参照し、実施形態例を挙げて本発明の実施の形態を具体的かつ詳細に説明する。
投射型の格子状表示装置の実施形態例本実施形態例は、本発明に係る投射型の格子状表示装置の実施形態の一例であって、図１は本実施形態例の投射型の格子状表示装置の構成を示すブロック図である。本実施形態例の投射型の格子状表示装置１０は、図１に示すように、投射型の格子状表示装置本体１２と、投射型の格子状表示装置本体１２に付属した歪み補正装置１４とから構成される。歪み補正装置１４は、テスト投射映像を表示するテスト映像表示手段１６と、座標入力装置１８と、ポインタ２０と、歪み補正回路２２とを備えている。
【００１３】
投射型の格子状表示装置本体１２は、格子状映像表示体に表示された映像を、投射レンズを通して放射状投射光としてスクリーンに投射し、スクリーン上に投射映像を表示する。歪み補正装置１４は、スクリーンに対して投射光軸を斜めにして投射したときの投射映像の歪みを補正する装置である。
【００１４】
テスト映像手段１６は、図形の輪郭を規定する座標同士に明確な幾何学的関係のある図形、即ち正多角形のいずれか、例えば長方形をテスト映像とし、テスト映像をスクリーン上に投射してテスト投射映像を表示する。座標入力装置１８は、マウス等の入力装置であって、テスト投射映像の歪み輪郭を規定する特定位置の座標、例えば歪んだ長方形の４隅の座標に対応する歪まない長方形の４隅の座標を入力する。ポインタ２０は、歪んだ長方形の４隅を入力された歪まない長方形の４隅の座標に移動する。歪み補正回路２２は、歪んだ長方形の４隅の座標と、歪まない長方形の４隅の座標との関係に基づいて、投射映像の歪みを補正する。
【００１５】
図２から図４を参照して、本実施形態例の投射型の格子状表示装置１０の歪み補正装置１４の使用方法を説明する。図２から図４は、それぞれ、本実施形態例の投射型の格子状表示装置を使って映像を投射した投射映像の歪み補正する際の段階毎の投射映像の形状を示す図である。本実施形態例では、先ず、プロジェクタに内蔵されたテスト映像手段１６によって、投射光軸をスクリーンに対して斜め方向して長方形の映像をスクリーン上に投射し、図２に示すように、歪んだ長方形のテスト投射映像３０を得る。次いで、マウス等の座標入力装置１８を使用し、図３に示すように、スクリーン枠に合わせてテスト投射映像３０内に４点の座標指定点３２Ａ〜Ｄを指定する。４点３２Ａ〜Ｄの座標データから歪み補正回路２２が歪み補正パラメータを演算し、設定する。以後、歪み補正回路２２は、設定した歪み補正パラメータに基づいて、歪み投射映像を補正して、図４に示すように、歪みのない投射映像３４にする。テスト映像として、投射表示を目的とする実際の入力映像を使用することもできる。
【００１６】
投射映像の歪み補正方法の実施形態例本実施形態例は、本発明に係る投射映像の歪み補正方法の実施形態の一例であって、図５は本実施形態例の投射映像の歪み補正方法の手順を示すフローチャートである。本実施形態例の投射映像の歪み補正方法は、格子状映像表示体に表示された映像を、投射レンズを通して放射状投射光としてスクリーンに投射し、スクリーン上に投射映像を表示する際、スクリーンに対して投射光軸を斜めにして投射したときの投射映像の歪みを補正する方法である。図５に示すように、先ず、第１のステップＳ1で、スクリーン上に投射されたテスト投射映像の歪み輪郭を規定する特定位置、例えば歪んだ長方形の４隅に対応する、歪みのない輪郭を規定する座標、例えば歪みのない長方形の４隅の座標をポインタで指定す。つまり、座標入力装置に入力した座標にポインタで指示した指示座標を移動させる操作を複数回行うことにより、
次いで、第２のステップＳ2で、歪み補正回路２２（図５ではＣＰＵと記載）が４点の座標に基づいて歪み補正パラメータを演算し、設定する。第３のステップＳ3では、歪み補正回路２２は算出させた補正パラメータを記憶装置、補正ＬＳＩに書き込む。補正ＬＳＩは、書き込まれた補正パラメータに従って歪み投射映像を補正して歪まない投射映像を表示する。
【００１７】
また、座標入力は、上記に示したポインタを移動し位置を決定する方法以外に、先ず、４点の中からどの点を調整するかを選択し、その後、座標情報を座標入力装置から得るという方法でもよい。この方法を使用し、座標情報を常に処理することにより、補正結果がリアルタイムに映像に反映される。テスト映像として、投射表示を目的とする実際の入力映像を使用することもできる。
【図面の簡単な説明】
【００１８】
【図１】実施形態例の投射型の格子状表示装置の構成を示すブロック図である。
【図２】実施形態例の投射型の格子状表示装置を使って映像を投射した投射映像の歪み補正する際の歪み投射映像の形状を示す図である。
【図３】座標指定点を示す図である。
【図４】歪み補正された投射映像を示す図である。
【図５】実施形態例の投射映像の歪み補正方法の手順を説明するフローチャートである。
【図６】歪みのある投射映像を示す図である。
【符号の説明】
【００１９】
１０  実施形態例の投射型の格子状表示装置
１２  投射型の格子状表示装置本体
１４  歪み補正装置
１６  テスト映像表示手段
１８  座標入力装置
２０  ポインタ
２２  歪み補正回路
３０  歪んだ長方形のテスト投射映像
３２  ４点の座標指定点
３４  歪みのない投射映像
【図１】
2006238436.tif 000003
【図２】
2006238436.tif 000004
【図３】
2006238436.tif 000005
【図４】
2006238436.tif 000006
【図５】
2006238436.tif 000007
【図６】
2006238436.tif 000008
【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
格子状映像表示体上に表示される映像を投射して表示する投射型映像表示装置であって、
前記格子状映像表示体に供給する供給映像を補正することにより、投射される投射映像の形状を補正する補正回路と、
前記格子状映像表示体上の指定座標を入力する座標入力装置と、を有し、
前記指定座標と前記格子状映像表示体上の４つの特定座標とに基づいて前記補正回路が前記供給映像を補正することを特徴とする投射型映像表示装置。
【請求項２】
格子状映像表示体上に表示される映像を投射して表示する投射型映像表示装置であって、
前記格子状映像表示体に供給する供給映像を補正することにより、投射される投射映像の形状を補正する補正回路と、
前記格子状映像表示体上の指定座標を入力する座標入力装置と、を有し、
前記指定座標と前記格子状映像表示体上の４つの特定座標とに基づいて前記補正回路が補正パラメータを演算し、
前記補正回路が前記補正パラメータに従って前記補正回路が前記供給映像を補正することを特徴とする投射型映像表示装置。
【請求項３】
前記請求項１又は請求項２に記載の投射型映像表示装置であって、
前記座標入力装置が、ポインタを操作することにより前記格子状映像表示体上の前記指定座標を入力するものであることを特徴とする投射型映像表示装置。
【請求項４】
前記請求項１乃至請求項３のいずれかに記載の投射型映像表示装置であって、
前記格子状映像表示体上の前記４つの特定座標が、前記格子状映像表示体の表示領域の四隅の座標であることを特徴とする投射型映像表示装置。
【請求項５】
前記請求項１乃至請求項４のいずれかに記載の投射型映像表示装置であって、
前記格子状映像表示体上に表示される前記映像がテスト映像であることを特徴とする投射型映像表示装置。
【請求項６】
前記請求項１乃至請求項５のいずれかに記載の投射型映像表示装置であって、
前記座標入力装置がマウスであることを特徴とする投射型映像表示装置。
【請求項７】
前記請求項１乃至請求項６のいずれかに記載の投射型映像表示装置であって、
前記格子状映像表示体上の前記座標入力装置で指定した座標が、前記格子状映像表示体の表示領域中の四点であることを特徴とする投射型映像表示装置。
【請求項８】
格子状映像表示体に表示される表示映像を投射して表示する投射型映像表示装置の前記格子状映像表示体に供給する供給映像を補正することにより、投射される投射映像の形状を補正する補正方法であって、
前記格子状映像表示体上の指定座標を座標入力装置から取得する座標入力ステップと、
前記指定座標と前記格子状映像表示体上の４つの特定座標とに基づいて前記供給映像を補正するステップと、を有することを特徴とする補正方法。
【請求項９】
格子状映像表示体に表示される表示映像を投射して表示する投射型映像表示装置の前記格子状映像表示体に供給する供給映像を補正することにより、投射される投射映像の形状を補正するプログラムであって、
前記格子状映像表示体上の指定座標を座標入力装置から取得する座標入力ステップと、
前記指定座標と前記格子状映像表示体上の４つの特定座標とに基づいて前記供給映像を補正するステップと、を有することを特徴とするプログラムを記録した記録媒体。
【請求項１０】
格子状映像表示体に表示される表示映像を投射して表示する投射型映像表示装置の前記格子状映像表示体に供給する供給映像を補正することにより、投射される投射映像の形状を補正するプログラムであって、
前記格子状映像表示体上の指定座標を座標入力装置から取得する座標入力ステップと、
前記指定座標と前記格子状映像表示体上の４つの特定座標とに基づいて前記補正回路が補正パラメータを演算するステップと、
前記補正パラメータに従って前記供給映像を補正するステップと、を有することを特徴とするプログラムを記録した記録媒体。
【請求項１１】
前記請求項９又は請求項１０に記載のプログラムを記録した記録媒体であって、
前記座標入力装置が、ポインタを操作することにより前記格子状映像表示体上の前記指定座標を入力するものであることを特徴とするプログラムを記録した記録媒体。
【請求項１２】
前記請求項９乃至請求項１１のいずれかに記載のプログラムを記録した記録媒体であって、
前記格子状映像表示体上の前記４つの特定座標が、前記格子状映像表示体の表示領域の四隅の座標であることを特徴とするプログラムを記録した記録媒体。
【請求項１３】
前記請求項９乃至請求項１２のいずれかに記載のプログラムを記録した記録媒体であって、
前記格子状映像表示体上に表示される前記映像がテスト映像であることを特徴とするプログラムを記録した記録媒体。
【請求項１４】
前記請求項９乃至請求項１３のいずれかに記載のプログラムを記録した記録媒体であって、
前記座標入力装置がマウスであることを特徴とする記録媒体。
【手続補正３】
【補正対象書類名】明細書
【補正対象項目名】０００７
【補正方法】変更
【補正の内容】
【０００７】
上記目的を達成するために、本発明に係る投射型の格子状表示装置は、格子状映像表示体上に表示される映像を投射して表示する投射型映像表示装置であって、
前記格子状映像表示体に供給する供給映像を補正することにより、投射される投射映像の形状を補正する補正回路と、
前記格子状映像表示体上の指定座標を入力する座標入力装置と、を有し、
前記指定座標と前記格子状映像表示体上の４つの特定座標とに基づいて前記補正回路が前記供給映像を補正することを特徴としている。
【手続補正４】
【補正対象書類名】明細書
【補正対象項目名】００１１
【補正方法】変更
【補正の内容】
【００１１】
本発明によれば、テスト映像をスクリーン上に投射してテスト投射映像を表示する手段と、テスト投射映像の特定座標に対応するテスト映像の座標を入力する座標入力装置と、テスト投射映像の特定位置を正規の座標（歪まない映像の座標）に移動するポインタと、テスト投射映像の特定座標と、正規の座標との関係に基づいて、投射映像の歪みを補正する歪み補正手段とを投射型の格子状表示装置に備える。これにより、スクリーンに対して投射光軸を斜めにして投射したときの投射映像の歪みを簡単に補正することができる。また、本発明方法によれば、スクリーンに対して投射光軸を斜めにして投射したときの投射映像の歪みを簡単に補正する方法を実現している。
【手続補正５】
【補正対象書類名】明細書
【補正対象項目名】００１４
【補正方法】変更
【補正の内容】
【００１４】
テスト映像手段１６は、図形の輪郭を規定する座標同士に明確な幾何学的関係のある図形、例えば長方形をテスト映像とし、テスト映像をスクリーン上に投射してテスト投射映像を表示する。座標入力装置１８は、マウス等の入力装置であって、テスト投射映像の歪み輪郭を規定する特定位置の座標、例えば歪んだ長方形の４隅の座標に対応する歪まない長方形の４隅の座標を入力する。ポインタ２０は、歪んだ長方形の４隅を入力された歪まない長方形の４隅の座標に移動する。歪み補正回路２２は、歪んだ長方形の４隅の座標と、歪まない長方形の４隅の座標との関係に基づいて、投射映像の歪みを補正する。
【手続補正６】
【補正対象書類名】明細書
【補正対象項目名】００１６
【補正方法】変更
【補正の内容】
【００１６】
投射映像の歪み補正方法の実施形態例本実施形態例は、本発明に係る投射映像の歪み補正方法の実施形態の一例であって、図５は本実施形態例の投射映像の歪み補正方法の手順を示すフローチャートである。本実施形態例の投射映像の歪み補正方法は、格子状映像表示体に表示された映像を、投射レンズを通して放射状投射光としてスクリーンに投射し、スクリーン上に投射映像を表示する際、スクリーンに対して投射光軸を斜めにして投射したときの投射映像の歪みを補正する方法である。図５に示すように、先ず、第１のステップＳ１で、スクリーン上に投射されたテスト投射映像の歪み輪郭を規定する特定位置、例えば歪んだ長方形の４隅に対応する、歪みのない輪郭を規定する座標、例えば歪みのない長方形の４隅の座標をポインタで指定する。
次いで、第２のステップＳ２で、歪み補正回路２２（図５ではＣＰＵと記載）が４点の座標に基づいて歪み補正パラメータを演算し、設定する。第３のステップＳ３では、歪み補正回路２２は算出させた補正パラメータを記憶装置、補正ＬＳＩに書き込む。補正ＬＳＩは、書き込まれた補正パラメータに従って歪み投射映像を補正して歪まない投射映像を表示する。